(57)【要約】【課題】片手での吸引操作を容易にするとともに、種々のサイズのプランジャ端部を嵌めることができる器具を提供する。【解決手段】嵌着器具（１、１ａ〜１ｄ）は、プランジャ（３０）の一端に設けられた指当て部（３１）を嵌着する嵌着部（４、４ａ〜４ｄ）と、嵌着器具（１、１ａ〜１ｄ）の端部に設けられ、ユーザが指を差し込むための指差込部（２、２ａ〜２ｄ）と、を備え、嵌着部（４、４ａ〜４ｄ）には、異なるサイズの指当て部（３１）を挟持する挟持構造（５１、５２、５３、７、８、９、９１〜９３）が複数形成されている。【選択図】図１
2016179091.tif 000002
【特許請求の範囲】
【請求項１】
注射器のプランジャに嵌着される嵌着器具であって、
ユーザが指を当て上記プランジャを押すために上記プランジャの一端に設けられた指当て部を嵌着する嵌着部と、
上記嵌着器具の端部に設けられ、ユーザが指を差し込むための指差込部と、を備え、
上記嵌着部には、異なるサイズの上記指当て部を挟持する挟持構造が複数形成されていることを特徴とする嵌着器具。
【請求項２】
上記複数の挟持構造には、上記指当て部を嵌める空間として溝構造がそれぞれ形成されており、
上記溝構造内の空間のサイズは、互いに異なり、
上記挟持構造は、上記溝構造に嵌る上記指当て部において、上記ユーザの指を当てる面と、当該面の裏面とを挟持することを特徴とする請求項１に記載の嵌着器具。
【請求項３】
上記指当て部と対向する上記挟持構造における面において、上記溝構造の開口部を形成している縁には、上記プランジャの軸部を嵌める凹部が形成されていることを特徴とする請求項２に記載の嵌着器具。
【請求項４】
注射器のプランジャに嵌着される嵌着器具であって、
ユーザが指を当て上記プランジャを押すために上記プランジャの一端に設けられた指当て部を嵌着する嵌着部と、
上記嵌着器具の端部に設けられ、ユーザが指を差し込むための指差込部と、を備え、
上記嵌着部には、異なるサイズの上記指当て部を挟持する挟持構造として、上記指当て部を嵌める溝構造が１つ形成され、
上記指当て部と対向する上記挟持構造における面において、上記溝構造の開口部を形成している縁には、上記プランジャの軸部を嵌める凹部が形成され、
上記挟持構造は、上記溝構造に嵌る上記指当て部において、上記ユーザの指を当てる面と、当該面の裏面とを挟持することを特徴とする嵌着器具。
【請求項５】
上記挟持構造において上記指当て部を挟持する面には、上記溝構造における空間内に向かって突起した突起部が形成されていることを特徴とする請求項２から４までのいずれか１項に記載の嵌着器具。
【請求項６】
上記嵌着部における外壁面は、Ｕ字形状であることを特徴とする請求項２から５までのいずれか１項に記載の嵌着器具。
【請求項７】
上記嵌着部は、上記指当て部における側面方向から上記指当て部を嵌着する複数の挟持片であり、
上記複数の挟持片には、上記複数の挟持構造として、上記指当て部における側面の一部を挟持する複数の段を有する爪構造がそれぞれ形成されていることを特徴とする請求項１に記載の嵌着器具。
【請求項８】
上記爪構造の断面は鋸刃形状であることを特徴とする請求項７に記載の嵌着器具。
【請求項９】
上記挟持片が上記指差込部と連結している部位の厚みは、上記爪構造の厚みよりも薄くなっていることを特徴とする請求項７または８に記載の嵌着器具。
【請求項１０】
上記指差込部は、可撓性を有する素材で形成されていることを特徴とする請求項１から９までのいずれか１項に記載の嵌着器具。
【発明の詳細な説明】
【技術分野】
【０００１】
本発明は、注射器に嵌着する嵌着器具に関する。
【背景技術】
【０００２】
医療分野において注射器が広く使用されている。注射器の多くは、円筒形の注射筒と、注射筒内を摺動するプランジャとを有しており、当該プランジャの端部は指で押し易い面構造である。このため、注射器を用いた片手での注入操作が容易である一方、片手での吸引操作は難しく、吸引操作においては両手で行われることが多い。しかしながら、医療現場において、片手での吸引操作が必要となる場合がある。例えば、星状神経節ブロックなどの医療的施術では、片手での吸引操作および注入操作を行うことにより、患者に注入する麻酔薬の量を調整する必要がある。
【０００３】
そこで、従来から、片手での吸引操作を可能とする注射器や、注射器に取着する補助具が提案されている。例えば、特許文献１には、注射器に取着する補助具として、プランジャ端部の面構造に嵌める小リングと、小リングと角度有して連結された、親指を差し込む大リングとを有する押し込み部材が開示されている。
【先行技術文献】
【特許文献】
【０００４】
【特許文献１】実用新案登録第３１４９２３９号公報（２００９年２月２５日登録）
【発明の概要】
【発明が解決しようとする課題】
【０００５】
しかしながら、注射器のサイズは容量毎に異なるので、特許文献１に開示された補助具は、サイズの異なる注射器に取り付けられないという課題がある。
【０００６】
本発明は、上記の課題に鑑みてなされたものであって、その目的は、注射器を用いた片手での吸引操作を容易にするとともに、種々のサイズのプランジャ端部を嵌めることができる器具を提供することにある。
【課題を解決するための手段】
【０００７】
上記の課題を解決するために、本発明の一態様に係る嵌着器具は、注射器のプランジャに嵌着される嵌着器具であって、ユーザが指を当て上記プランジャを押すために上記プランジャの一端に設けられた指当て部を嵌着する嵌着部と、上記嵌着器具の端部に設けられ、ユーザが指を差し込むための指差込部と、を備え、上記嵌着部には、異なるサイズの上記指当て部を挟持する挟持構造が複数形成されている。
【０００８】
上記の構成によれば、嵌着部には、異なるサイズの指当て部を挟持する挟持構造が複数形成されている。このため、ユーザは、１つの嵌着器具を用いて異なるサイズの指当て部を嵌めることができるとともに、注射器を用いて片手での吸引操作を容易に行うことが可能となる。
【０００９】
さらに、本発明の一態様に係る嵌着器具では、上記複数の挟持構造には、上記指当て部を嵌める空間として溝構造がそれぞれ形成されており、上記溝構造内の空間のサイズは、互いに異なり、上記挟持構造は、上記溝構造に嵌る上記指当て部において、上記ユーザの指を当てる面と、当該面の裏面とを挟持することが好ましい。
【００１０】
上記の構成によれば、挟持構造には、指当て部を挟持するサイズの異なる溝構造が複数形成されている。このため、ユーザは、形成されている複数の溝構造のうち、ユーザが使用する注射器における指当て部のサイズに対応する挟持構造を選択することが可能となる。それゆえ、ユーザは、１つの嵌着器具を用いて種々のサイズのプランジャ端部を嵌めることが可能となる。
【００１１】
さらに、本発明の一態様に係る嵌着器具では、上記指当て部と対向する上記挟持構造における面において、上記溝構造の開口部を形成している縁には、上記プランジャの軸部を嵌める凹部が形成されていることが好ましい。
【００１２】
上記の構成によれば、嵌着対象となる注射器におけるプランジャの軸部について、嵌着部に対する位置を決めることが可能となる。
【００１３】
また、本発明の一態様に係る嵌着器具は、注射器のプランジャに嵌着される嵌着器具であって、ユーザが指を当て上記プランジャを押すために上記プランジャの一端に設けられた指当て部を嵌着する嵌着部と、上記嵌着器具の端部に設けられ、ユーザが指を差し込むための指差込部と、を備え、上記嵌着部には、異なるサイズの上記指当て部を挟持する挟持構造として上記指当て部を嵌める溝構造が１つ形成され、上記指当て部と対向する上記挟持構造における面において、上記溝構造の開口部を形成している縁には、上記プランジャの軸部を嵌める凹部が形成され、上記挟持構造は、上記溝構造に嵌る上記指当て部において、上記ユーザの指を当てる面と、当該面の裏面とを挟持する。
【００１４】
上記の構成によれば、１つの溝構造に指当て部を嵌める場合、嵌着対象となる注射器におけるプランジャの軸部について嵌着部に対する位置を、凹部により所定の位置に定めることができる。このため、嵌着対象である指当て部のサイズが１つの溝構造のサイズより小さい場合であっても、指当て部の嵌着部に対する位置を所定の位置に定めて、指当て部を嵌着器具に嵌める可能となる。それゆえ、ユーザは、１つの嵌着器具を用いて異なるサイズの指当て部を嵌めることができるとともに、注射器を用いて片手での吸引操作を容易に行うことが可能となる。
【００１５】
また上記の構成によれば、１つの溝構造が形成されている嵌着器具は、複数の溝構造が形成されている嵌着器具と比較して、注入後において注射器のバレル内に残る薬液量を低減するとともに、安定した注入操作に寄与するという効果を奏する。
【００１６】
さらに、本発明の一態様に係る嵌着器具では、上記挟持構造において上記指当て部を挟持する面には、上記溝構造における空間内に向かって突起した突起部が形成されていることが好ましい。
【００１７】
上記の構成によれば、突起部が形成されている挟持構造の面において、突起部は指当て部と当接し、その他の面は指当て部と当接しない。このため、挟持構造が指当て部を挟持する面積は、指当て部の一部の面積となる。それゆえ、挟持構造に指当て部を嵌めることが容易となる。
【００１８】
さらに、本発明の一態様に係る嵌着器具では、上記嵌着部における外壁面は、Ｕ字形状であることが好ましい。
【００１９】
上記構成によれば、嵌着器具をプランジャに嵌め易くかつ嵌着器具の製造コストを抑えることが可能となる。
【００２０】
さらに、本発明の一態様に係る嵌着器具では、上記嵌着部は、上記指当て部における側面方向から上記指当て部を嵌着する複数の挟持片であり、上記複数の挟持片には、上記複数の挟持構造として、上記指当て部における側面の一部を挟持する複数の段を有する爪構造がそれぞれ形成されていてもよい。
【００２１】
上記の構成によれば、ユーザは、嵌着対象である注射器における指当て部を、嵌着器具に備えられている挟持片の一端から挿入し、押すことにより、対応する挟持構造に挟持させる。このため、ユーザは、嵌着器具に形成されている複数の挟持構造から、ユーザが使用する注射器における指当て部のサイズに対応する挟持構造を選択することなく、１つの嵌着器具を用いて種々のサイズのプランジャ端部を嵌めることが可能となる。
【００２２】
さらに、本発明の一態様に係る嵌着器具では、上記爪構造の断面は鋸刃形状であることが好ましい。
【００２３】
上記の構成によれば、嵌着器具は、嵌着対象の注射器における指当て部を嵌着し易く、かつ外れにくいものとなる。
【００２４】
さらに、本発明の一態様に係る嵌着器具では、上記挟持片が上記指差込部と連結している部位の厚みは、上記爪構造の厚みよりも薄くなっていることが好ましい。
【００２５】
上記の構成によれば、指当て部を挟持構造に挿入させる際に、指差込部と連結している挟持片における部位が嵌着器具の外側に撓むことが可能となる。このため、ユーザは、指当て部を嵌着器具に嵌着させ易くなる。
【００２６】
さらに、本発明の一態様に係る嵌着器具では、上記指差込部は、可撓性を有する素材で形成することが好ましい。
【００２７】
上記の構成によれば、指差込部が可撓性を有しているため、ユーザは指差込部を指で押し潰すことが可能となり、指差込部に指を入れることなく、嵌着器具を嵌着した注射器を注入操作に用いることができる。
【発明の効果】
【００２８】
本発明は、１つの嵌着器具を用いて異なるサイズの指当て部を嵌めることができるとともに、注射器を用いて片手での吸引操作を容易に行うことが可能となるという効果を奏する。
【図面の簡単な説明】
【００２９】
【図１】（ａ）は、注射器に嵌着している本発明の一実施形態に係る嵌着器具を示す図であり、（ｂ）は上記嵌着器具の構造を示す斜視図である。
【図２】（ａ）は上記嵌着器具を示す正面図であり、（ｂ）は図２の（ａ）のＡ‐Ａ’線断面図である。
【図３】上記嵌着器具を示す下面図である。
【図４】（ａ）は上記嵌着器具を示す側面図であり、（ｂ）は指差込部が可倒された上記嵌着器具を示す側面図である。
【図５】上記嵌着器具の変形例を示す正面図である。
【図６】本発明の別の実施形態に係る嵌着器具を示す図であり、（ａ）は注射器に嵌着している上記嵌着器具を示す図であり、（ｂ）は上記嵌着器具の構造を示す斜視図である。
【図７】（ａ）は図６の（ｂ）に示す嵌着器具の正面図であり、（ｂ）は図６の（ｂ）に示す嵌着器具の下面図である。
【図８】図６の（ｂ）に示す嵌着器具の変形例を示す図であり、（ａ）は２つの挟持片を有する嵌着器具を示す斜視図であり、（ｂ）は、３つの挟持片を有する嵌着器具を示す斜視図である。
【図９】発明のさらに別の実施形態に係る嵌着器具を示す図であり、（ａ）は当該嵌着器具の正面図であり、（ｂ）は当該嵌着器具の側面図である。
【発明を実施するための形態】
【００３０】
〔実施形態１〕
本発明の一実施形態に係る嵌着器具１について図１〜図４を参照して説明する。なお、本発明に係る嵌着器具１は、サイズの異なる注射器におけるプランジャに嵌着し、片手での吸引操作を容易とするためのものである。このため、嵌着器具１が嵌着する対象は、片手での吸引操作が可能な容量の注射器であることを想定している。例えば、嵌着器具１が嵌着する対象は、１ｍｌ、２．５ｍｌ、５ｍｌ、１０ｍｌ、２０ｍｌ、３０ｍｌ、５０ｍｌ、１００ｍｌなどの容量の注射器である。
【００３１】
（注射器１０の概要）
図１の（ａ）は、注射器１０に嵌着している嵌着器具１を示す図である。まず、注射器１０の概要について図１の（ａ）を用いて説明する。図示のように、注射器１０はバレル２０およびプランジャ３０を備えている。バレル２０は筒形状であり、バレル２０の一端にはユーザの指（例えば中指および人差し指）を掛けるフランジ２１がバレル２０の外側に張り出して設けられている。
【００３２】
プランジャ３０はバレル２０内を摺動するものである。プランジャ３０の一端（不図示）は、バレル２０内に挿入されており、バレル２０内周面上を長手方向に摺動可能となっている。また、プランジャ３０の他端には、ユーザの指（例えば親指）を当ててプランジャ３０を押すための指当て部３１が設けられている。例えば指当て部３１の形状は円板である。プランジャ３０の本体部位である軸部３２は、略十字形状の断面を有する。
【００３３】
（嵌着器具１の要部構成）
次に、図１の（ｂ）を用いて嵌着器具１の要部構成について説明する。図１の（ｂ）は、嵌着器具１の構造を示す斜視図である。実施形態１における嵌着器具１は、指当て部３１においてユーザの指を当てる面と、当該面の裏面とを挟持する構成である。図示のように、嵌着器具１は、指差込部２、天板３、および嵌着部４を備えている構成である。
【００３４】
指差込部２は、嵌着器具１の一端に備えられ、ユーザの指（例えば親指）を差し込むためのものである。例えば、指差込部２はリング形状となっており、ユーザが指差込部２に指を掛けてプランジャ３０を引いて使用される。
【００３５】
天板３は、指差込部２に連結して備えられ、指差込部２に差し込んだユーザの指（例えば親指）を当ててプランジャ３０を押すためのものであり、嵌着している注射器１０の指当て部３１の役割を担っている。天板３の形状は任意であるが、例えば、図１の（ａ）に示す天板３は、指当て部３１と同様の形状（円板）である。
【００３６】
嵌着部４は、嵌着器具１において指差込部２と反対側の一端に備えられ、天板３と連結している。嵌着部４は指当て部３１（図１の（ａ）参照）を嵌着するものであり、嵌着部４には複数のサイズ（異なるサイズ）の指当て部３１を挟持する挟持構造が複数形成されている。実施形態１に係る複数の挟持構造には、指当て部を嵌める空間として溝構造がそれぞれ形成されている。なお、天板３は挟持構造の一部であってもよい。
【００３７】
異なるサイズの指当て部３１を挟持する挟持構造としての溝構造５１〜５３のそれぞれは、１つのサイズの指当て部３１に対して１つの溝構造が対応している構成であってもよいし、複数の異なるサイズの指当て部３１に対して１つの溝構造が対応している構成であってもよい。
【００３８】
例えば、図１の（ｂ）に示すように、嵌着部４には、指当て部を嵌める空間として３つの溝構造５１、５２および５３が層状に形成されている。３つの溝構造５１、５２および５３内の空間は、この順にサイズが小さくなっており、異なるサイズの指当て部にそれぞれ対応している。より具体的には、溝構造５１、５２および５３のサイズは、この順に、容量２０ｍｌ、容量１０ｍｌ、容量５ｍｌの注射器１０における指当て部３１にそれぞれ対応したサイズである。なお、溝構造５１、５２および５３については図２にて詳細に後述する。
【００３９】
（挟持構造の構成）
図２の（ａ）は嵌着器具１を示す正面図である。図２の（ａ）に示すように、嵌着器具１には、複数の挟持構造として３つの溝構造５１〜５３が形成されているとともに、３つの溝構造５１〜５３における空間内に向かってそれぞれに突起する突起部６が形成されている。
【００４０】
また、溝構造５１〜５３内の空間サイズは、互いに異なる。層状に形成されている３つの溝構造５１〜５３のうち空間サイズの最も大きい溝構造５１を最下層として、他の溝構造５２および溝構造５３が空間サイズの大きい順に層状に形成されている。図２の（ａ）に示すように、溝構造５１〜５３における開口幅Ｗ５１〜Ｗ５３は、指差込部２に近い位置にあるほど、狭くなる構成である（Ｗ５１＞Ｗ５２＞Ｗ５３）。
【００４１】
例えば、複数の挟持構造において、嵌着対象となる注射器１０のうち最も容量の大きい注射器１０のサイズに対応している溝構造５１を形成する挟持構造を最下層とし、溝構造５２および５３を対応している注射器１０の容量の大きい順に層状に形成する構成である。なお、説明の便宜上、溝構造５１が形成されている側の挟持構造を嵌着器具１の下側（紙面上で下側）とし、溝構造５３が形成されている側の挟持構造上に備えられている指差込部２側を嵌着器具１の上側（紙面上で上側）と定義する。
【００４２】
ここで、溝構造５１が形成されている挟持構造を例として説明する。溝構造５１は、容量２０ｍｌの注射器１０における指当て部３１の大きさおよび形状に対応した空間を有し、好ましくは当該指当て部３１の大きさよりも大きい空間を有する。そして、図２の（ａ）に示すように、突起部６は、溝構造５１の空間に向かって下側から突出するように形成されている。また、突起部６は、図２の（ｂ）に示すように、溝構造５１を形成している挟持構造の床面６０において異なる２つの位置に形成されている。突起部６の高さは、溝構造５１を形成している挟持構造の天井面と突起部６とで指当て部３１を固定して挟持する程度である。
【００４３】
上記の構成によれば、突起部６が形成されている挟持構造の面において、突起部６は指当て部３１と当接し、その他の面は指当て部３１と当接しない。このため、指当て部３１を挟持する部位は、挟持構造の一面全体ではなく、該一面全体のうちの一部となる。それゆえ、挟持構造に指当て部３１を嵌めることが容易となる。
【００４４】
次に、図２の（ｂ）を用いて、指当て部３１と対向する挟持構造における床面６０について説明する。図２の（ｂ）は、図２の（ａ）のＡ‐Ａ’線断面図である。なお、図２の（ｂ）に示す斜線部は、溝構造５１を形成している挟持構造における壁面の断面である。図示のように、溝構造５１を形成している挟持構造における床面６０には、溝構造５１の開口部を形成する縁６１において、凹部６２、直線部６３および凸部６４が形成されている。凹部６２および直線部６３は、嵌着対象の注射器１０におけるプランジャ３０の軸部３２（図１の（ａ）参照）の形状に対応した形状である。
【００４５】
凹部６２は、嵌着対象となる注射器１０における軸部３２について嵌着部４に対する位置を決めるためのものである。例えば、プランジャ３０の軸部３２が略十字形状である場合、凹部６２は、軸部３２の十字形状における１つの突起を嵌めるものである。
【００４６】
直線部６３は、嵌着対象となる注射器１０における軸部３２について、凹部６２により決定される位置よりも溝構造５１の奥への挿入を抑止するためのものであり、凹部６２の両端からそれぞれ延びた直線形状の縁である。例えば、直線部６３は、凹部６２に嵌る軸部３２の突起に隣接する突起と接する。
【００４７】
凹部６２と直線部６３とが連結する部位は、指当て部３１の中心付近となる。このため、嵌着部４に嵌着する指当て部３１のサイズが、指当て部３１を挟持している挟持構造に形成された溝構造５１よりも小さい場合においても、溝構造５１に対応する指当て部３１の中心位置と同様の位置に、指当て部３１の中心位置を定めることができる。このため、１つの溝構造は、異なるサイズの指当て部３１を嵌めることが可能となる。
【００４８】
凸部６４は、嵌着対象となる注射器１０における軸部３２を挟持構造に誘導するためのものであり、直線部６３に連結している。縁６１に形成されている凸部６４の側面は、床面６０と挟持構造の壁面とが連結している部位（斜線部）における両端のそれぞれから凹部６２に向かう方向に傾斜している。
【００４９】
また、床面６０にはプランジャ３０の軸部３２の挿入方向において、一対の突起部６が、直線部６３から溝構造５１の奥における壁面との連結部位までに、凹部６２を挟んで備えられている。
【００５０】
上記の構成によれば、凹部６２および直線部６３によってプランジャ３０の軸部３２の位置が決定される。そして、位置決めされたプランジャ３０は、一対の突起部６によって固定される。このため、挟持構造に形成されている溝構造５１の空間が、嵌着されるプランジャ３０の指当て部３１のサイズよりも大きい場合においても、プランジャ３０の軸部３２の位置を決めることができるとともに、プランジャ３０を固定して嵌着器具１に嵌着することができる。
【００５１】
また、図２の（ｂ）に示す斜線部分において、嵌着部４における壁面（外壁面）の断面の形状はＵ字形状であるが、これに限定されるものではない。例えば、嵌着部４における壁面の形状はＣ字形状であってもよい。嵌着部４の壁面の形状がＵ字形状である場合、嵌着器具１をプランジャ３０に嵌め易くかつ嵌着器具１の製造コストを抑えることが可能となる。また、嵌着部４の壁面の形状がＣ字形状である場合、嵌着器具１をプランジャ３０に嵌め易くかつプランジャ３０から外れにくいものとすることができる。なお。嵌着部４がＣ字形状の壁面である場合、嵌着部４はプランジャ３０の端部を挿入可能な程度に弾力性を有するものとする。
【００５２】
図３は、嵌着器具１を示す下面図である。図３に示すように、溝構造５１〜５３のそれぞれを形成する挟持構造の床面が層状に形成されており、溝構造５１〜５３の床面にはそれぞれ凸部６４ａ、凸部６４ｂおよび凸部６４ｃが、凹部６２に関して対称（紙面上では左右対称）に形成されている。また、３つの溝構造５１〜５３を形成する複数の凹部６２は、嵌着部４を嵌着部４の底面から天板３に向かって貫通するように形成されている。
【００５３】
また、溝構造５１〜５３の床面のそれぞれに形成されている凹部６２（図２の（ｂ）参照）における開口幅Ｗ１〜Ｗ３は、図２の（ａ）に示す例では同一となっているが、これに限定されない。例えば、開口幅Ｗ１〜Ｗ３は、指差込部２に近づく位置ほど狭くなる構成であってもよい（Ｗ１＞Ｗ２＞Ｗ３）。凹部６２における開口幅が狭くなるほど、小さい容量の注射器に適する挟持構造となる。このため、溝構造５１〜５３は、指差込部２に近い位置に形成されているものほど小さい容量の注射器１０に適することが可能となり、小さい容量の注射器１０に対応してプランジャ３０の軸部３２を確実に嵌めることが可能となる。
【００５４】
（嵌着器具１の使用例）
次に、嵌着器具１の使用例について説明する。図１の（ａ）に示すように、嵌着器具１の嵌着部４には、注射器１０の指当て部３１が嵌着されている。嵌着部４には指当て部３１を挟持する挟持構造として複数の溝構造５１〜５３が形成されている。このため、ユーザは、嵌着部４に形成されている複数の溝構造５１〜５３のうち指当て部３１のサイズに対応する溝構造を１つ選択し、選択した溝構造に指当て部３１を嵌着させる。
【００５５】
嵌着器具１を嵌着した注射器１０を用いた片手での吸引操作では、ユーザは、指差込部２に差し込んだ指（例えば親指）を引き、プランジャ３０をバレル２０の外部へ摺動させる。なお、片手での吸引操作において指差込部２に差し込まれる指が親指の場合、ユーザの中指および人差し指は、フランジ２１の指当て部３１側における面を押してもよいし、バレル２０を挟んでいてもよい。
【００５６】
上記の構成によれば、ユーザは、嵌着器具１を装着した注射器１０を用いて細やかな吸引操作を行うことができる。例えば、患者の体内から髄液などの液体を吸引する場合、吸引する量を患者の様子に応じて細やかに調整することが可能となる。
【００５７】
また、注入操作において嵌着器具１を嵌着した注射器１０を用いる場合、ユーザは、例えば指差込部２に差し込んだ指（親指）で天板３を押してもよい。上記の構成によれば、ユーザは、指を指差込部２に差し込んだままの状態で、吸引操作および注入操作を行うことができる。具体的には、星状神経節ブロックなどの麻酔を患者に注入する施術の場合、プランジャ３０を押したり引いたりすることにより、患者の様子に応じて麻酔薬の注入量を細やかに調整するが可能となる。
【００５８】
また例えば、指差込部２は、可撓性（指で押し潰せる程度の柔らかさ）を有する素材で形成されてもよい。この場合、ユーザは、親指で指差込部２を押し潰し、さらに親指で天板３を押すことにより、注入操作を行う。上記の構成によれば、指差込部２に指を入れることなく、嵌着器具１を嵌着した注射器１０を注入操作に用いることができる。なお、指差込部２は形状記憶機能を有する素材で形成されているものとし、指で押し潰された後の指差込部２は、指が離れると吸引操作に使用する形状（リング形状）に戻るものとする。
【００５９】
また例えば、指差込部２は、嵌着部４と同程度の硬さを有する場合、天板３との接合部位において可倒する構成としてもよい。図４の（ａ）は、嵌着器具１を示す側面図であり、図４の（ｂ）は指差込部２が可倒された嵌着器具１を示す側面図である。この構成の場合、ユーザは、指差込部２を吸引時に使用する位置（図４の（ａ）参照）から接合部位を軸に９０°程度回転させた状態（図４の（ｂ）参照）で、天板３を押すことにより、注入操作を行う。上記の構成によれば、注入操作時において、ユーザは指差込部２を吸引操作時に使用する位置（図４の（ａ）参照）から注入操作の邪魔とならない位置（例えば、図４の（ｂ）に示す嵌着部４の側面）に移動させることができる。
【００６０】
（変形例）
実施形態１では、挟持構造として３つの溝構造５１〜５３が形成されている嵌着器具１について上述したが、形成される溝構造は３つに限定されない。例えば、溝構造は１つでもよいし、２つでもよいし、４つ以上でもよい。
【００６１】
複数の溝構造が嵌着部４に形成される場合、溝構造としての挟持構造は、最も容量の大きい注射器１０に対応する溝構造を最下層として、溝構造が対応する注射器１０の容量の大きい順に層状に形成されることが好ましい。上記の構成によれば、注射器１０に嵌着している嵌着器具１をぐらつかせることなく安定して、片手での吸引操作が可能となる。
【００６２】
また、１つの溝構造が嵌着部４に形成される場合、形成される溝構造は、嵌着対象としている注射器１０のうち最も容量の大きい注射器１０（例えば、２０ｍｌの注射器）の指当て部３１のサイズに対応していることが好ましい。図５は、嵌着器具１の変形例を示す正面図である。図５に示すように、嵌着器具１が備える嵌着部４には、挟持構造として１つの溝構造５１が形成され、凹部６２が形成されている。さらに、嵌着部４には突起部６が形成されていることが好ましい。
【００６３】
上記の構成によれば、嵌着対象としている注射器のうちいずれの注射器に対しても、注射器１０の指当て部３１を嵌着器具１の所定の位置に嵌着させることが可能となる。
【００６４】
例えば、嵌着対象としている注射器のうち最も容量の小さい注射器（例えば、５ｍｌの注射器）の指当て部３１が、嵌着対象としている注射器のうち最も容量の大きい注射器（例えば、２０ｍｌの注射器）の指当て部３１のサイズに対応している溝構造が形成された嵌着部４に嵌着する場合、嵌着している指当て部３１の側面と溝構造を形成している挟持構造の内部壁面との間に隙間が生じる一方で、指当て部３１が嵌着される位置は凹部６２により適切に定められるとともに、指当て部３１は突起部６により確実に固定して嵌着される。
【００６５】
それゆえ、ユーザは、１つ溝構造が形成された嵌着器具１を用いて異なるサイズの指当て部３１を嵌めることができるとともに、注射器１０を用いて片手での吸引操作を容易に行うことが可能となる。
【００６６】
また、上記の構成によれば、１つの溝構造が形成されている嵌着器具１は、複数の溝構造が形成されている嵌着器具１と比較して、注入後にバレル２０内に残る薬液量を低減するとともに、安定した注入操作に寄与するという効果を奏する。
【００６７】
例えば、図１に示す嵌着器具１において、複数の溝構造５１〜５３のうち指差込部２に最も近い溝構造５３にて指当て部３１が嵌着される場合、指当て部３１とフランジ２１との間には、溝構造５１〜５２の高さ分の距離が生じる。一方、図５に示す嵌着器具１に形成されている溝構造は１つであるため、図５に示す嵌着器具１に指当て部３１を嵌着させた場合、指当て部３１とフランジ２１との間の距離は最小限に抑えられる。このため、１つの溝構造が形成されている嵌着器具１に嵌着される指当て部２１がどのようなサイズであっても、注入後にバレル２０内に残る薬液量を最小限とすることが可能となる。
【００６８】
また、図１に示す嵌着器具１において、複数の溝構造５１〜５３のうち指差込部２から最も遠い溝構造５１に指当て部３１が嵌着される場合、指当て部３１と天板３との間には、溝構造５２〜５３の高さ分の距離が生じる。一方、図５に示す嵌着器具１に形成されている溝構造は１つであるため、図５に示す嵌着器具１に指当て部３１を嵌着させた場合、指当て部３１と天板３との間の距離は最小限に抑えられる。このため、１つの溝構造が形成されている嵌着器具１に嵌着される指当て部２１がどのようなサイズであっても、注入時における操作の安定を保つことが可能となる。
【００６９】
〔実施形態２〕
本発明の別の一実施形態に係る嵌着器具１ａについて図６〜図８を参照して説明する。なお、説明の便宜上、前記実施形態にて説明した部材と同じ機能を有する部材については、同じ符号を付記し、その説明を省略する。
【００７０】
図６（ａ）は、注射器１０に嵌着している嵌着器具１ａを示す図である。図６の（ａ）に示すように、実施形態２における嵌着器具１ａは、指当て部３１における側面を挟持する点で、実施形態１における嵌着器具１と異なる。
【００７１】
図６の（ｂ）は、嵌着器具１ａの構造を示す斜視図である。図６の（ｂ）に示すように、嵌着器具１ａは、指差込部２ａ、天板３ａ、および嵌着部４ａを備えている構成である。
【００７２】
指差込部２ａは、嵌着器具１ａの一端に備えられ、ユーザの指（例えば親指）を差し込むためのものである。例えば、指差込部２ａはリング形状となっており、ユーザが指差込部２ａに指を掛けてプランジャ３０を引いて使用される。また、指差込部２ａは、実施形態１にて上述した指差込部２と同様の柔らかさまたは硬さを有している構成としてもよい。
【００７３】
天板３ａは、指差込部２ａに連結して備えられ、指差込部２ａに差し込んだユーザの指（例えば親指）を当ててプランジャ３０を押すためのものであり、嵌着している注射器１０の指当て部３１の役割を担っている。天板３ａの形状は任意であるが、例えば、指当て部３１とは異なる形状であってもよく、図６の（ｂ）に示す天板３ａの形状は長方形である。
【００７４】
嵌着部４ａは、嵌着器具１ａにおいて指差込部２ａと反対側の一端に備えられ、天板３ａと連結している。嵌着部４ａは、指当て部３１における側面方向から指当て部３１を嵌着する複数の挟持片を有する。
【００７５】
図６の（ｂ）では、対となる挟持片７および８（すなわち４本の挟持片）が形成されている。一対の挟持片７は、天板３ａの短辺から、天板３ａの面に対して略垂直方向に突出している。もう一対の挟持片８は、Ｌ字形であり、天板３ａの長辺における中央から天板３ａの面に対して略垂直方向に突出している。
【００７６】
複数の挟持片７および８には、複数の挟持構造として、指当て部３１における側面の一部を挟持する複数の段を有する爪構造７０がそれぞれ形成されている。爪構造７０が有する複数の段は、大きいサイズの指当て部３１に対応する段の順に、挟持片７および８の一端からそれぞれ形成されている。
【００７７】
また、図６の（ｂ）に示すように、嵌着器具１ａにおける複数の挟持片７および８は、指差込部２ａと連結している部位の厚みが、爪構造７０の厚みよりも薄くなっている。指差込部２ａと連結している挟持片の部位とは、例えば、図７の（ａ）に示す挟持片７における部位７１である。このため、指当て部３１を挟持構造に挿入させる際に、指差込部２ａと連結している挟持片における部位が嵌着器具１ａの外側に撓むことが可能となる。それゆえ、ユーザは、指当て部３１を嵌着器具１ａに嵌着させ易くなる。
【００７８】
図７の（ａ）は、図６の（ｂ）に示す嵌着器具１ａの正面図である。図７の（ａ）に示すように、爪構造７０が有する複数の段は、挟持片７の端部における段を、嵌着対象である注射器１０のうち最も大きいサイズの注射器１０の指当て部３１に対応するものとし、爪構造７０が有するその他の段を、天板３ａに近づくごとに小さいサイズの注射器１０の指当て部３１に対応するものとして形成されている。また、一対の挟持片７が向かい合う側における爪構造７０の縁は、鋸刃の形状となっている。このため、嵌着器具１ａは、注射器１０のプランジャ３０端部を嵌着し易く、かつ外れにくいものとなる。
【００７９】
そして、互いに対向する鋸刃によって異なるサイズである複数の指当て部３１の側面が挟持される（図６の（ａ）参照）。図７の（ａ）に示す爪構造７０は、４つのサイズの指当て部３１に対応する。例えば、爪構造７０の縁に形成されている鋸刃は、嵌着器具１ａの端部から順に、容量３０ｍｌ、２０ｍｌ、１０ｍｌ、５ｍｌの注射器における指当て部３１に対応している。なお、爪構造７０の縁に形成されている鋸刃は、容量１００ｍｌおよび５０ｍｌの注射器における指当て部３１に対応していてもよい。
【００８０】
このため、図６の（ａ）に示すように、ユーザは、嵌着対象である注射器１０における指当て部３１を、嵌着器具１ａに備えられている挟持片７および８の一端から挿入し、押すことにより、対応する挟持構造に挟持させる。このため、ユーザは、嵌着器具１ａに形成されている複数の挟持構造から、ユーザが使用する注射器１０における指当て部３１のサイズに対応する挟持構造を選択することなく、１つの嵌着器具１ａを用いて種々のサイズのプランジャ端部を嵌めることが可能となる。
【００８１】
図７の（ｂ）は、嵌着部４ａ側からみた嵌着器具１ａを示す下面図である。図７の（ｂ）に示すように、挟持片７と挟持片８とは、異なる幅を有する。このため、プランジャ３０の指当て部３１を嵌着器具１ａに嵌め易くするとともに、確実に嵌着させることが可能となる。また、図７の（ｂ）に示す爪構造７０の縁は、注射器１０の指当て部３１の側面に嵌るように円形となっている。このため、プランジャ３０端部を確実に嵌着させることが可能となる。
【００８２】
（変形例）
実施形態２では、挟持構造として２つの挟持片７が対をなし、さらに２つの挟持片８をなすように形成されている嵌着器具１ａについて上述したが、形成される挟持片はこれに限定されるものではない。
【００８３】
例えば、図８の（ａ）は、互いに対向する２つの挟持片９（対となる挟持片）を備える嵌着器具１ｂを示す図である。図８の（ａ）に示す挟持片９は、天板３ｂの短辺から突出し、爪構造が形成されている側面は広い面積を有するように幅広に形成されている。このため、嵌着器具１ｂは、挟持片が２つの場合であっても、注射器１０のプランジャ３０端部を嵌着し易く、かつ外れにくいものとなる。
【００８４】
また例えば、図８の（ｂ）は、３つの挟持片９１、９２および９３を備える嵌着器具１ｃを示す図である。３つの挟持片９１〜９３のうち、２つの挟持片９１および９２は対向し、１つの挟持片９３は任意の部位に備えられてもよい。また例えば、３つの挟持片９１〜９３は、等間隔に備えられてもよい。
【００８５】
〔実施形態３〕
本発明のさらに別の一実施形態に係る嵌着器具１ｄについて図９を参照して説明する。実施形態３における嵌着器具１ｄは、挟持構造として備えられている挟持片７ａおよび８ａの形状が、実施形態２における挟持片７および８の形状と異なる。
【００８６】
図９の（ａ）は嵌着器具１ｄの正面図である。図９の（ａ）に示すように、対向する一対の挟持片７ａ・７ａが、天板３ｄの短辺から嵌着部４ｄの挟持構造として突出している。挟持片７ａの縁に形成されている爪構造７０ａは、一対の挟持片７ａ・７ａが向かい合う側において階段状となっており、異なるサイズである複数の指当て部３１に対応している。例えば、爪構造７０ａにおいて、挟持片７ａの端部における段は、嵌着対象である注射器１０のうち最も大きいサイズの注射器１０（容量２０ｍｌの注射器）の指当て部３１に対応する。そして、爪構造７０ａにおけるその他の段は、天板３ｄに近づくごとに小さいサイズの注射器１０（容量１０ｍｌ、５ｍｌの注射器）の指当て部３１に対応するものとして形成されている。
【００８７】
また、爪構造７０ａにおいて、一対の挟持片７ａ・７ａが向かい合う側（内側）の側面には、指当て部３１が挿入される方向と反対方向への滑りを止める滑り止め加工が施されていてもよい。滑り止め加工により、嵌着器具１ｄは、嵌着している注射器を外れにくくすることが可能となる。
【００８８】
図９の（ｂ）は、嵌着器具１ｄの側面図である。図９の（ｂ）に示すように、もう一対の対向する挟持片８ａ・８ａは、天板３ｄの長辺における中央部から嵌着部４ｄの挟持構造として突出している。挟持片８ａは、図６の（ｂ）に示す挟持片８と同様に、Ｌ字形である。
【００８９】
挟持片８ａに形成されている爪構造８０ａは、異なるサイズである複数の指当て部３１を挟持する構造である。爪構造８０ａの縁には、異なるサイズである複数の指当て部３１が嵌る複数の溝部８０ｂ・８０ｃ・８０ｄが形成されており、これらの溝部８０ｂ・８０ｃ・８０ｄのそれぞれが、指当て部３１の上面、下面および側面を保持する。例えば、挟持片８ａの端部における溝部８０ｂは、嵌着対象である注射器１０のうち最も大きいサイズの注射器１０の指当て部３１に対応している。また、爪構造８０ａは、天板３ｄに近づくごとに小さいサイズの注射器１０の指当て部３１に対応している。すなわち、溝部８０ｃは、溝部８０ｂよりも小さいサイズの注射器１０の指当て部３１に対応している。また、溝部８０ｄは、溝部８０ｃよりも小さいサイズの注射器１０の指当て部３１に対応している。このため、爪構造８０ａは、指当て部３１を誘導しやすい形状となっている。
【００９０】
また、図９の（ｂ）に示すように、天板３ｄと連結している側の挟持片８ａにおける部位８１ａは、爪構造８０ａの厚みよりも薄く、指当て部３１を嵌着する際に嵌着器具１ｄの外側に撓むことにより、指当て部３１を嵌着させ易い構造となっている。
【００９１】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００９２】
本発明は、片手での注入操作が可能な注射器に利用することができる。
【符号の説明】
【００９３】
１、１ａ、１ｂ、１ｃ、１ｄ  嵌着器具
２、２ａ〜２ｄ  指差込部
３、３ａ〜３ｄ  天板
４、４ａ〜４ｄ  嵌着部
６  突起部
５１、５２、５３  溝構造
６０  床面
６２  凹部
６３  直線部
６４、６４ａ、６４ｂ、６４ｃ  凸部
７、８、９、７ａ、８ａ、９１〜９３  挟持片
７０、７０ａ、８０ａ  爪構造
８０ｂ〜８０ｄ  溝部
【図１】
2016179091.tif 000003
【図２】
2016179091.tif 000004
【図３】
2016179091.tif 000005
【図４】
2016179091.tif 000006
【図５】
2016179091.tif 000007
【図６】
2016179091.tif 000008
【図７】
2016179091.tif 000009
【図８】
2016179091.tif 000010
【図９】
2016179091.tif 000011